(57)【要約】      （修正有）【課題】ロープ部の長さの調整が容易で、連結強度に優れたロープアンカーを提供する。【解決手段】ロープ１１と、ロープ１１の後端部を挿通するカラム部材１４と、ロープ１１の後端部をカラム部材１４に挿通した状態でロープ１１の後端部に打ち込むための楔部材１５を有することを特徴とする。【選択図】図２
2019065483.tif 000002
【特許請求の範囲】
【請求項１】
ロープと、前記ロープの後端部を挿通するカラム部材と、前記ロープの後端部をカラム部材に挿通した状態で前記ロープの後端部に打ち込むための楔部材を有することを特徴とするロープアンカー。
【請求項２】
前記カラム部材を前記ロープの引張り方向に保持するためのフック部材を有することを特徴とする請求項１記載のロープアンカー。
【請求項３】
前記フック部材は前記カラム部材の抜け止め部材を有することを特徴とする請求項２記載のロープアンカー。
【請求項４】
請求項１〜３のいずれかに記載のロープアンカーの施工方法であって、
地盤に削孔を形成し、前記ロープアンカーのロープを先端側から前記削孔に挿入するステップと、
前記削孔に挿入したロープの後端側を所定の長さに切断するステップと、
前記切断したロープの後端部に前記カラム部材を挿通し、前記楔部材で前記ロープの後端部をカラム部材に固定するステップを有することを特徴とするロープアンカーの施工方法。
【発明の詳細な説明】
【技術分野】
【０００１】
本発明は、山腹，法面等に落石，雪崩防止等を目的に、設置される柵やロープカーテン等の構造物（対策物）の補強、固定等に用いられるロープアンカーに関する。
【背景技術】
【０００２】
従来から用いられるロープアンカーは、ワイヤーロープの端部をループ状に加工したものが使用されている。
この種のロープアンカーにあっては、法面等に複数の削孔を形成し、ロープアンカーを先端側から挿入すると削孔の深さや位置にバラツキがあり、地表からループ部までの長さがバラバラであったり、必要以上に長くなったり、短くなったりしてしまう場合が多い。
【０００３】
特許文献１には、ワイヤーロープに留め金具を着脱可能に装着し、この留め金具にアイナットを連結するワイヤーアンカーを開示する。
しかし、この場合に留め金具の連結強度に問題が生じやすい。
【先行技術文献】
【特許文献】
【０００４】
【特許文献１】実用新案登録第３１７５４１８号公報
【発明の概要】
【発明が解決しようとする課題】
【０００５】
本発明は、ロープ部の長さの調整が容易で、連結強度に優れたロープアンカーの提供を目的とする。
【課題を解決するための手段】
【０００６】
本発明に係るロープアンカーは、ロープと、前記ロープの後端部を挿通するカラム部材と、前記ロープの後端部をカラム部材に挿通した状態で前記ロープの後端部に打ち込むための楔部材を有することを特徴とする。
ここで、カラム部材は円筒状であり、内側に挿通したロープの端部の中央部付近に楔部材を打ち込むと、ロープを構成する撚り線が広がり、カラム部材の内周面に押し付けられることで、このカラム部材がロープの端部に強固に連結固定される。
これにより、ロープを削孔に挿入し、地表からの長さが所定の長さになるように切断し、この切断した端部にカラム部材を固定できる。
【０００７】
本発明において、カラム部材を前記ロープの引張り方向に保持するためのフック部材を有するのが好ましく、さらにフック部材は前記カラム部材の抜け止め部材を有するのが好ましい。
これにより、フック部材を用いて連結金具等を介して、他の構造物等と連結しやすくなる。
本発明において、ロープの構造に制限がなく、ロープアンカーはシングルロープのみならず、ダブルロープ等の複数のロープアンカーをフック部材に連結してもよい。
【０００８】
本発明に係るロープアンカーの施工方法は、請求項１〜３のいずれかに記載のロープアンカーの施工方法であって、地盤に削孔を形成し、前記ロープアンカーのロープを先端側から前記削孔に挿入するステップと、前記削孔に挿入したロープの後端側を所定の長さに切断するステップと、前記切断したロープの後端部に前記カラム部材を挿通し、前記楔部材で前記ロープの後端部をカラム部材に固定するステップを有することを特徴とする。
【発明の効果】
【０００９】
本発明に係るロープアンカーは、長さの調整が容易であり、連結強度にも優れる。
【図面の簡単な説明】
【００１０】
【図１】削孔にロープを挿入した状態を示す。
【図２】ロープの端部にカラム部材を連結固定する例を示し、（ａ）は楔部材を打つ前、（ｂ）は楔部材を打ち込み固定した状態を示す。
【図３】シングルロープの例を示す。
【図４】（ａ）〜（ｄ）はフック部材及び連結具の取り付け例を示す。
【図５】ダブルロープの例を示す。
【図６】（ａ）〜（ｃ）はフック部材及び連結具の取り付け例を示す。
【発明を実施するための形態】
【００１１】
本発明に係るロープアンカー１０の例を施工手順に沿って、以下図に基づいて説明するが、本発明はこれに限定されない。
【００１２】
地盤に所定の深さの削孔１を掘る。
図１は、説明上１つの孔のみを表示しているが、通常は補強する構造物に合せて複数の孔を削孔する。
ロープ１１の先端部を先端クランプ１３で固定し、途中にはスペーサー１２を適宜、取り付けてある。
ロープの先端クランプ１３を先にして、削孔１に挿入する。
地表側には、余長のロープ１１が突出している。
地中への固定には、モルタル等のグラウト材２を削孔１に注入するが、その作業は必要に応じて後述するカラム部材及びフック部材の連結前であっても、連結後であってもよい。
【００１３】
ロープ１１の地表に突出している後端部側を切断し、図２（ａ）に示すように円筒状のカラム部材１４を挿通する。
カラム部材１４は、内径がロープ１１の外径よりもやや大きいものがよく、後端側の内径１４ａの方が、先端側の内径１４ｂよりもやや大きいものが好ましい。
図２に示したロープ１１は、ストランド１１ａ，１１ｂ，１１ｃの３本からなるワイヤーロープの例になっているが、構造に制限はない。
ワイヤーロープの中心を少し広げ、楔部材１５を打つ。
楔部材１５は、ストランドの数に合せて、楔辺１５ａが３つに枝分かれした形状になっている。
これにより、カラム部材１４がロープの後端部に連結固定される。
楔部材１５の構造に制限はない。
【００１４】
図３は、シングルロープからなるロープアンカーの例を示し、図５はダブルロープ１０Ａ，１０Ａからなるロープアンカーの例を示す。
フック部材２０，３０は、ベース部２１，３１と他の連結具４０を取り付けるための略Ｕ字形状フック２２，３２とからなる。
ベース部２１，３１とフック２２，３２とは、溶接等にて連結してあるが、連結方法に制限はない。
ベース部２１，３１には、側部から溝部２１ａ，３１ａを形成し、外側からカラム部材１４の根元側のロープ１１を挿入し、このカラム部材１４をベース部２１，３１に保持させる。
ベース部２１，３１は、溝部２１ａ，３１ａの開口側に突起部２３，３３を突設し、カラム部材１４が外側に滑らないようになっている。
次に、必要に応じて、略Ｌ字形状の抜け止め部材２４，３４をベース部の側部にボルト等の固定具２４ａ，３４ａで固定してもよい。
【符号の説明】
【００１５】
１        削孔
２        グラウト材
１０      ロープアンカー
１１      ロープ
１２      スペーサー
１３      先端クランプ
１４      カラム部材
２０      フック部材
２１      ベース部
２２      フック
３０      フック部材
【図１】
2019065483.tif 000003
【図２】
2019065483.tif 000004
【図３】
2019065483.tif 000005
【図４】
2019065483.tif 000006
【図５】
2019065483.tif 000007
【図６】
2019065483.tif 000008